(57)【要約】【課題】  切断精度が十全に確保でき、且つ、軒樋の切断位置決め作業の効率化にも寄与し得る軒樋切断治具を提供する。【解決手段】  上端耳部１、１０を有する軒樋２の外面４に嵌着自在である軒樋切断治具本体５を軒樋２の外形と略同一形状に形成するとともに、軒樋切断治具本体５における軒樋２の長手方向の側端部に、軒樋２への嵌着時に軒樋２の長手方向に対して直交する切断ガイド用立設片７を形成した軒樋切断治具Ａにおいて、切断ガイド用立設片７に、軒樋２の長手方向に沿って展開した切断位置決め用スケール１２を挿通可能とする切り欠き部１３を設けているので、切断精度が十全に確保できることに加えて、軒樋の切断位置決め作業の効率化と省力化にも寄与し得る。【選択図】図２
2006142591.tif 000002
【特許請求の範囲】
【請求項１】
上端耳部を有する軒樋の外面に嵌着自在である軒樋切断治具本体を前記軒樋の外形と略同一形状に形成するとともに、前記軒樋切断治具本体における前記軒樋の長手方向の側端部に、前記軒樋への嵌着時に前記軒樋の長手方向に対して直交する切断ガイド用立設片を形成した軒樋切断治具において、前記切断ガイド用立設片に、前記軒樋の長手方向に沿って展開した切断位置決め用スケールを挿通可能とする切り欠き部を設けたことを特徴とする軒樋切断治具。
【請求項２】
前記切り欠き部の底面と前記軒樋切断治具本体の外側面とを略面一としてなることを特徴とする請求項１記載の軒樋切断治具。
【発明の詳細な説明】
【技術分野】
【０００１】
本発明は、軒樋切断治具に関するものである。
【背景技術】
【０００２】
従来より、軒樋の切断加工に際して、切断小口（ここでいう「切断小口」とは、軒樋の長手方向と直交する方向における切り口をいう。「以下、同じ。」）の直線性、直角性等を確保するために使用する軒樋切断治具としては、種々のものが知られている。例えば、特開２００３−９７００２号公報（特許文献１）には、軒樋の長手方向の一部を被嵌するための着脱自在な軒樋切断治具本体を有し、軒樋の長手方向に直交する前記軒樋切断治具本体の側端面に切断工具を沿わせて軒樋を切断するための軒樋切断治具において、軒樋切断治具本体の外面の側端部に軒樋の長手方向に対して垂直外向きに突出する切断ガイド用立設片を設けて切断精度向上を図った軒樋切断治具が開示されている。
【０００３】
しかし、その一方で、切断小口の切断精度を確保するには、かかる切断小口の直線性、直角性等の確保と併せて、軒樋の切断位置決めの正確さが要求される。かかる軒樋の切断位置決めについては、従来、典型的には、図４に示すような手順で行なわれるのが通例であった。すなわち、図４は、従来の軒樋の切断位置決めの典型的な手順を例示するもので、（ａ）は、切断位置決め用スケール１２にて軒樋２の切断位置までの長さを測定する様子の概略を示す斜視図、（ｂ）は、直角定規１７にて切断線１８を軒樋２にけがく様子の概略を示す斜視図、（ｃ）は、切断工具１６で軒樋２を切断する様子の概略を示す斜視図である。この場合、切断位置決め用スケール１２にて軒樋２の切断位置までの長さを測定し、直角定規１７にて切断線１８を軒樋２にけがいた後、軒樋２を切断するため正確な切断が困難であることに加えて、かかる軒樋２の切断位置決め作業自体が多大な手間と労力を要するという問題点があった。この際、上記切断ガイド用立設片を具備する軒樋切断治具等を使用すれば、切断小口の直線性、直角性等は確保できるものの、軒樋２の切断位置決めについては、依然として上記図４（ａ）に示すように、切断位置決め用スケールによらねばならず、かかる軒樋の切断位置決め作業に多大な手間と労力を要するという問題点は、未解決のまま残されていた。
【特許文献１】特開２００３−９７００２号公報
【発明の開示】
【発明が解決しようとする課題】
【０００４】
本発明は、上記背景技術に鑑みて発明されたものであり、その課題は、切断精度が十全に確保でき、且つ、軒樋の切断位置決め作業の効率化にも寄与し得る軒樋切断治具を提供することにある。
【課題を解決するための手段】
【０００５】
上記課題を解決するために、請求項１に係る発明の軒樋切断治具にあっては、上端耳部を有する軒樋の外面に嵌着自在である軒樋切断治具本体を前記軒樋の外形と略同一形状に形成するとともに、前記軒樋切断治具本体における前記軒樋の長手方向の側端部に、前記軒樋への嵌着時に前記軒樋の長手方向に対して直交する切断ガイド用立設片を形成した軒樋切断治具において、前記切断ガイド用立設片に、前記軒樋の長手方向に沿って展開した切断位置決め用スケールを挿通可能とする切り欠き部を設けたことを特徴とするものである。
【０００６】
請求項２に係る発明の軒樋切断治具にあっては、請求項１記載の軒樋切断治具において、前記切り欠き部の底面と前記軒樋切断治具本体の外側面とを略面一としてなることを特徴とするものである。
【発明の効果】
【０００７】
本発明の軒樋切断治具では、上端耳部を有する軒樋の外面に嵌着自在である軒樋切断治具本体を前記軒樋の外形と略同一形状に形成するとともに、前記軒樋切断治具本体における前記軒樋の長手方向の側端部に、前記軒樋への嵌着時に前記軒樋の長手方向に対して直交する切断ガイド用立設片を形成した軒樋切断治具において、前記切断ガイド用立設片に、前記軒樋の長手方向に沿って展開した切断位置決め用スケールを挿通可能とする切り欠き部を設けているので、切断精度が十全に確保できることに加えて、軒樋の切断位置決め作業の効率化と省力化にも寄与し得ることとなる。
【発明を実施するための最良の形態】
【０００８】
以下、本発明の実施形態を図面に基づき説明する。なお、本発明の軒樋切断治具は、下記の実施形態にのみ限定されるものではなく、本発明の要旨を逸脱しない範囲内において種々変更を加え得ることは勿論である。ここで、図１は、本発明の一実施形態である軒樋切断治具Ａの構成の概略を模式的に示す斜視図である。一方、図２は、本発明の一実施形態である軒樋切断治具Ａの軒樋２への嵌着状態（切断直後）の概略を模式的に示す正面図である。
【０００９】
すなわち、本実施形態の軒樋切断治具Ａは、図１、図２に示すように、上端耳部１、１０を有する軒樋２の外面４に嵌着自在である軒樋切断治具本体５を軒樋２の外形と略同一形状に形成するとともに、軒樋切断治具本体５における軒樋２の長手方向の側端部に、軒樋２への嵌着時に軒樋２の長手方向に対して直交する切断ガイド用立設片７を形成した軒樋切断治具である。
【００１０】
さらに、本実施形態の軒樋切断治具Ａでは、切断ガイド用立設片７に軒樋２の長手方向に沿って展開した切断位置決め用スケール１２を挿通可能とする切り欠き部１３を設けたものである。また、本実施形態の軒樋切断治具Ａでは、図１、図２に示すように、切り欠き部１３の底面１４と軒樋切断治具本体５の外側面１５とを略面一としてなるものである。
【００１１】
かかる構成を有する本実施形態の軒樋切断治具Ａによる軒樋の切断手順は、図３に示すような手順で行なうことができる。ここで、図３は、本実施形態の軒樋切断治具Ａによる軒樋切断の手順を例示するもので、（ａ）は、軒樋切断治具Ａを上端耳部１、１０を有する軒樋２の外面４に嵌着する直前の様子の概略を示す斜視図、（ｂ）は、軒樋切断治具Ａを軒樋２の外面４に嵌着した様子の概略を示す斜視図、（ｃ）は、切断位置決め用スケール１２にて軒樋２の切断位置までの長さを測定する様子の概略を示す斜視図、（ｄ）は、切断工具１６で軒樋２を切断する様子の概略を示す斜視図である。
【００１２】
この場合、軒樋切断治具Ａを軒樋２の外面４に嵌着した後（図３（ａ）、（ｂ））、切断位置決め用スケール１２にて軒樋２の切断位置までの長さを測定することとなるが、この際、軒樋切断治具Ａは、切断ガイド用立設片７に軒樋２の長手方向に沿って展開した切断位置決め用スケール１２を挿通可能とする切り欠き部１３を具備するため、軒樋切断治具Ａを軒樋２の外面４に嵌着した状態のまま、軒樋切断治具Ａを軒樋２の外面４上でスライドすることにより切断位置決め用スケール１２にて軒樋２の切断位置までの長さを正確に測定し得ることとなる。さらに、本実施形態の軒樋切断治具Ａでは、図１、図２に示すように、切り欠き部１３の底面１４と軒樋切断治具本体５の外側面１５とを略面一としてなるので、上記切断位置決め用スケール１２による測定精度をさらに向上し得ることとなる。
【００１３】
以上のように、本発明の軒樋切断治具によれば、上端耳部を有する軒樋の外面に嵌着自在である軒樋切断治具本体を前記軒樋の外形と略同一形状に形成するとともに、前記軒樋切断治具本体における前記軒樋の長手方向の側端部に、前記軒樋への嵌着時に前記軒樋の長手方向に対して直交する切断ガイド用立設片を形成した軒樋切断治具において、前記切断ガイド用立設片に、前記軒樋の長手方向に沿って展開した切断位置決め用スケールを挿通可能とする切り欠き部を設けているので、切断精度が十全に確保できることに加えて、軒樋の切断位置決め作業の効率化と省力化にも寄与し得ることとなる。
【図面の簡単な説明】
【００１４】
【図１】本発明の一実施形態である軒樋切断治具の構成の概略を模式的に示す斜視図である。
【図２】本発明の一実施形態である軒樋切断治具の軒樋への嵌着状態（切断直後）の概略を模式的に示す正面図である。
【図３】本実施形態の軒樋切断治具による軒樋切断の手順を例示するもので、（ａ）は、軒樋切断治具を上端耳部を有する軒樋の外面に嵌着する直前の様子の概略を示す斜視図、（ｂ）は、軒樋切断治具を軒樋の外面に嵌着した様子の概略を示す斜視図、（ｃ）は、切断位置決め用スケールにて軒樋の切断位置までの長さを測定する様子の概略を示す斜視図、（ｄ）は、切断工具で軒樋を切断する様子の概略を示す斜視図である。
【図４】従来の軒樋の切断位置決めの典型的な手順を例示するもので、（ａ）は、切断位置決め用スケールにて軒樋の切断位置までの長さを測定する様子の概略を示す斜視図、（ｂ）は、直角定規にて切断線を軒樋にけがく様子の概略を示す斜視図、（ｃ）は、切断工具で軒樋を切断する様子の概略を示す斜視図である。
【符号の説明】
【００１５】
１      上端耳部［後側耳部］（軒樋２）
２      軒樋
３      耳部係止部（軒樋切断治具本体５）
４      外面（軒樋２）
５      軒樋切断治具本体（軒樋切断治具Ａ）
６      脱落防止突条
７      切断ガイド用立設片
８      端縁（切断ガイド用立設片７）
９      切断小口（軒樋２）
１０      上端耳部［前側耳部］（軒樋２）
１１      耳部係止部（軒樋切断治具本体５）
１２      切断位置決め用スケール
１３      切り欠き部（切断ガイド用立設片７）
１４      底面（切り欠き部１３）
１５      外側面（軒樋切断治具本体５）
１６      切断工具
１７      直角定規
１８      切断線（軒樋２）
Ａ        軒樋切断治具
【図１】
2006142591.tif 000003
【図２】
2006142591.tif 000004
【図３】
2006142591.tif 000005
【図４】
2006142591.tif 000006